(57)【要約】      （修正有）【課題】錆びることが無く、重量も軽く、さらに、滑りにくい工具を提供する。【解決手段】長尺状の持手部１００を備え、対象物に取り付け可能な工具５００であって、工具５００は、合成樹脂で形成されており、持手部１００には、少なくとも、突起部３００、又は溝部４００のいずれかが設けられており、突起部３００は、対象物の溝部４００に嵌め込むことができるように構成され、溝部４００は、対象物の突起部３００を嵌め込むことができるように構成されている。【選択図】図１
0003230820.tif 000002
【実用新案登録請求の範囲】
【請求項１】
長尺状の持手部を備え、対象物に取り付け可能な工具であって、
当該工具は、合成樹脂で形成されており、
前記持手部には、少なくとも、突起部、又は溝部のいずれかが設けられており、
前記突起部は、前記対象物の溝部に嵌め込むことができるように構成され、
前記溝部は、前記対象物の突起部を嵌め込むことができるように構成されていることを特徴とする工具。
【請求項２】
前記溝部は、前記持手部の長手方向に延出していることを特徴とする請求項１に記載の工具。
【請求項３】
前記突起部は、前記持手部の長手方向に延出していることを特徴とする請求項１に記載の工具。
【請求項４】
前記溝部の先端部は、前記持手部から突出していることを特徴とする請求項１又は２に記載の工具。
【請求項５】
前記合成樹脂は、炭素繊維強化熱可塑性樹脂であることを特徴とする請求項１から４のいずれか一項に記載の工具。
【考案の詳細な説明】
【技術分野】
【０００１】
本考案は、ボルトやナット等の締緩や、各種作業に広く利用される工具に関する。
【背景技術】
【０００２】
従来から、ボルトやナット等の締緩や、その他、機械整備等の各種作業を行う際に、メガネレンチやモンキーレンチなど、各種専用の工具が利用されている。ただ、従来のメガネレンチ等の工具は主に金属製なので、重量が重く、工具を使用する作業員に負担をかけていた。さらに、作業員は複数の工具を専用のフォルダでセットにして持ち運ぶことがあり、フォルダの重さも相まって余計に重量が重くなり、作業員の負担も大きくなっていた。また、金属製の工具は錆びやすく、また、油分で滑りやすく手で把持しにくいという問題もあった。
【考案の概要】
【考案が解決しようとする課題】
【０００３】
そこで、本考案は、上記問題に鑑み、錆びることが無く、重量も軽く、さらに、滑りにくい工具を提供する。
【課題を解決するための手段】
【０００４】
上記課題を解決するために、本考案の工具は、長尺状の持手部を備え、対象物に取り付け可能な工具であって、当該工具は、合成樹脂で形成されており、前記持手部には、少なくとも、突起部、又は溝部のいずれかが設けられており、前記突起部は、前記対象物の溝部に嵌め込むことができるように構成され、前記溝部は、前記対象物の突起部を嵌め込むことができるように構成されていることを特徴とする。
【０００５】
当該特徴によって、工具は合成樹脂で形成されているため、従来の金属製の工具に比べて、重量が軽くなる。特に、工具を他の工具等の対象物に突起部又は溝部によって取り付けることができることから、従来のように、複数の工具をまとめて取り付けるフォルダが不要となり、更に重量が軽くなるので、作業員の負担が軽減されるのである。また、本考案の工具は、合成樹脂で形成されているので、錆びる虞がない。さらに、突起部又は溝部の凹凸が滑り止めとなって、油分で作業員の手が滑ることを防止できる。また、工具は、突起部又は溝部を備えた他の工具や取付具等の任意の対象物に自由に取り付けることができる。
【０００６】
上記課題を解決するために、本考案の工具は、前記溝部は、前記持手部の長手方向に延出していることを特徴とする。
【０００７】
当該特徴によって、作業員が締緩作業時等に、油分で手が滑ることを更に効果的に防止できる。
【０００８】
上記課題を解決するために、本考案の工具は、前記突起部は、前記持手部の長手方向に延出していることを特徴とする。
【０００９】
当該特徴によって、作業員が締緩作業時等に、油分で手が滑ることを更に効果的に防止できる。
【００１０】
上記課題を解決するために、本考案の工具は、前記溝部の先端部は、前記持手部から突出していることを特徴とする。
【００１１】
当該特徴によって、持手部を握った手に溝部の先端部が触れやすく滑り止めとなり、油分で手が滑ることを更に効果的に防止できるのである。
【００１２】
上記課題を解決するために、本考案の工具は、前記合成樹脂は、炭素繊維強化熱可塑性樹脂であることを特徴とする。
【００１３】
当該特徴によって、耐久性及び耐候性を備える共に、更に軽量化が可能となる。
【考案の効果】
【００１４】
上記の本考案によれば、錆びることが無く、重量も軽く、さらに、滑りにくい。
【図面の簡単な説明】
【００１５】
【図１】（ａ）は、本考案の工具の全体斜視図、（ｂ）は、工具の平面図である。
【図２】（ａ）は、本考案の工具の底面図、（ｂ）は、工具の側面図、（ｃ）は、図１（ｂ）のＡ−Ａ端面図である。
【図３】（ａ）は、複数の本考案の工具を組み付ける前の状態の全体斜視図、（ｂ）は、複数の工具を組み付けた状態の全体斜視図である。
【図４】（ａ）は、複数の本考案の工具を組み付けた状態の底面図、（ｂ）は、複数の工具を組み付けた状態の側面図、（ｃ）は、Ｂ−Ｂ端面図である。
【図５】（ａ）は、任意に取り出した工具の全体斜視図、（ｂ）は、取り出した工具を組み付けた状態の全体斜視図である。
【図６】（ａ）は、メガネレンチの態様の工具とモンキーレンチの態様の工具を組み付ける前の状態の全体斜視図、（ｂ）は、工具を組み付けた状態の全体斜視図である。
【図７】本考案の工具を取り付ける対象物の一例を示す取付具の全体斜視図である。
【符号の説明】
【００１６】
１００        持手部
３００        突起部
４００        溝部
５００        工具
【考案を実施するための形態】
【００１７】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１８】
図１及び図２には、本考案の工具５００を示す。なお、図１（ａ）は、工具５００の全体斜視図、図１（ｂ）は、工具５００の平面図、図２（ａ）は、工具５００の底面図、図２（ｂ）は、工具５００の側面図、図２（ｃ）は、図１（ｂ）のＡ−Ａ端面図である。
【００１９】
図１及び図２に示すように、工具５００は、メガネレンチの態様であり、全体が合成樹脂で成形されている。具体的には、工具５００は、人の手で握れるように構成された長尺状の持手部１００と、当該持手部１００の両端に設けられた先端部２００とを備える。先端部２００には、ボルトやナット等の締緩を行うために六角形状の孔２１０が設けられている。また、図２（ｂ）に示すように、先端部２００は、持手部１００の長尺軸に対して屈曲しているので、周囲に障害物がある狭い場所に設けられたボルトやナット等の締緩時に、持手部１００が周囲の障害物に干渉しないようになっている。
【００２０】
また、持手部１００の表面１１０の略中央には、表面１１０から突出するように突起部３００が形成されている。この突起部３００は、持手部１００の長手方向に直線状に延出しており、複数の突起片３１０を備える。また、各突起片３１０は、持手部１００の長手方向に直線状に延出し、互いに所定間隔をあけて平行になっている。さらに、図２（ｃ）に示すように、各突起片３１０の間は、突起片３１０で挟まれた谷部３２０となっている。
【００２１】
また、持手部１００の裏面１２０の略中央には、裏面１２０から内側に窪むように溝部４００が形成されている。この溝部４００は、持手部１００の長手方向に直線状に延出しており、複数の溝４１０を備える。各溝４１０は、合成樹脂で成形されているため、僅かに弾性変形が可能である。また、各溝４１０は、持手部１００の長手方向に直線状に延出し、互いに所定間隔をあけて平行になっている。さらに、溝４１０の先端部４２０は、持手部１００の裏面１２０から突出するように構成されている。また、溝部４００の溝４１０は、他の工具５００等に設けられた突起部３００の突起片３１０よりも幅が僅かに狭くなっているので、溝４１０に突起片３１０を嵌め込むと、溝４１０が僅かに弾性変形して突起片３１０を強く挟み込むので、溝４１０と突起片３１０は強固に固定されることになる。
【００２２】
なお、工具５００全体は、ボルトやナット等の締緩作業に耐えることができるのであれば、任意の合成樹脂を用いて一体成形することが出来る。特に、耐久性、及び耐候性を備え、比重が低く軽量化が可能な炭素繊維強化熱可塑性樹脂（ＣＦＲＴＰ）を用いて、工具５００を成形するのが好ましい。また、工具５００は、突起部３００と溝部４００の両方を備えているが、これに限定されず、突起部３００又は溝部４００の一方のみを備えてもよい。さらに、突起部３００の突起片３１０及び溝部４００の溝４１０は、それぞれ３つ設けられているが、これに限定されず、１つ以上の任意の数を設けることが出来る。また、突起部３００及び溝部４００は、持手部１００の長手方向に直線状に延出しているが、これに限定されず、持手部１００の長手方向に交差する方向に直線状に延出したり、持手部１００の長手方向に波打つように湾曲して延出するなど、任意の構成であってもよい。
【００２３】
次に、複数の工具５００を組み付ける様子について、図３及び図４を参照して説明する。なお、図３（ａ）は、複数の工具５００を組み付ける前の状態の全体斜視図、図３（ｂ）は、複数の工具５００を組み付けた状態の全体斜視図、図４（ａ）は、複数の工具５００を組み付けた状態の底面図、図４（ｂ）は、複数の工具５００を組み付けた状態の側面図、図４（ｃ）は、Ｂ−Ｂ端面図である。
【００２４】
図３及び図４に示すように、各工具（５００Ａから５００Ｄ）のそれぞれは、図１及び図２に示す工具５００とサイズが異なるメガネレンチの態様となっており、基本的な構成は同じである。そして、各工具（５００Ａから５００Ｄ）は、各突起部３００を各溝部４００に取り付けることで、互いに外れないように固定されている。具体的には、図４（ｃ）に示すように、工具５００Ａの溝部４００Ａの溝４１０Ａに、工具５００Ｂの突起部３００Ｂの突起片３１０Ｂを嵌めて取り付け、工具５００Ａと工具５００Ｂを互いに固定する。同様に、工具５００Ｂの溝部４００Ｂに、工具５００Ｃの突起部３００Ｃを嵌めて取り付け、工具５００Ｃの溝部４００Ｃに、工具５００Ｄの突起部３００Ｄを嵌めて取り付けることで、工具５００Ａから工具５００Ｄは互いに固定された状態となっている。また、各工具（５００Ａから５００Ｄ）が固定された状態では、各工具（５００Ａから５００Ｄ）の持手部（１００Ａから１００Ｄ）は上下に重なって整列しているので、持ち運びや収納に便利である。
【００２５】
また、各工具（５００Ａから５００Ｄ）は、各突起部と各溝部との嵌合を外せば、容易に分離することができる。そして、図５に示すように、必要に応じて、所望の工具５００（図５では、工具５００Ａと工具５００Ｄ）のみを取り外して利用する際は、工具５００Ａの溝部４００Ａに、工具５００Ｄの突起部３００Ｄを嵌めて取り付けて、工具５００Ａと工具５００Ｄをセットにして持ち運ぶことができ、利便性が高い。なお、図５（ａ）は、取り出した工具５００Ａと工具５００Ｄの全体斜視図、図５（ｂ）は、取り出した工具５００Ａと工具５００Ｄを組み付けた状態の全体斜視図である。
【００２６】
また、工具５００は、メガネレンチの態様であったが、これに限定されず、工具５００は、長尺状の持手部を備えているのであれば、各種既存の工具の態様であってもよい。さらに、工具５００は、互いに取り付けて固定する対象物も同一構成のメガネレンチであったが、これに限定されず、互いに取り付けて固定する対象物は、異なる種類の工具や部材であってもよい。例えば、図６に示すように、モンキーレンチの態様の工具５００Ｆであってもよく、この工具５００Ｆは、図１に示す工具５００と同様に、全体が合成樹脂で形成されており、長尺状の持手部に突起部３００Ｆを備えている。また、図１に示す工具５００は、突起部３００と溝部４００の両方を備えていたが、これに限定されず、突起部３００又は溝部４００の一方のみを備えてもよく、例えば、図６に示す工具５００Ｅのように、溝部４００Ｅのみを備えてもよい。なお、図６（ａ）は、メガネレンチの態様の工具５００Ｅとモンキーレンチの態様の工具５００Ｆを組み付ける前の状態の全体斜視図、図６（ｂ）は、工具５００Ｅと工具５００Ｆとを組み付けた状態の全体斜視図である。
【００２７】
そして、図６に示すように、工具５００Ｅの溝部４００Ｅと工具５００Ｆの突起部３００Ｆとを嵌めて取り付けることで、メガネレンチの態様の工具５００Ｅと、異なる種類のモンキーレンチの態様の工具５００Ｆとを互いに固定することが出来る。なお、工具５００Ｅは溝部４００Ｅを備え、工具５００Ｆが突起部３００Ｆを備えているが、これに限定されず、工具５００Ｅが突起部を備え、工具５００Ｆが溝部を備えてもよい。
【００２８】
また、工具５００を、作業員が着用する作業用ベルトの一部等に取り付けて携帯する際に、工具５００の持手部１００に、作業用ベルトと連結するための紐等は取り付けることができないように構成されている。仮に、持手部１００に紐等の連結具を取りつけると、持手部１００が手で把持しにくくなり、作業性が悪くなるためである。その代わり、図７に示すように、作業用ベルトと連結する紐等の連結具６１０を備えた取付具６２０を利用する。なお、図７は、本考案の工具を取り付ける対象物の一例を示す取付具の全体斜視図である。
【００２９】
図７に示すように、略直方体形状の取付具６２０には、突起部３００と同じ構成の突起部３００Ｇが設けられているので、この突起部３００Ｇに工具５００の溝部４００を嵌めて取り付けることができる。これにより、工具５００は、取付具６２０を介して、作業員が着用する作業用ベルトの一部等に取り付けて携帯できるのである。なお、取付具６２０は、突起部３００Ｇを備えているが、これに限定されず、溝部のみを備える、又は、突起部と溝部の両方を備えてもよい。また、取付具６２０は、連結具６１０によって作業用ベルトの一部等に取り付けているが、これに限定されず、連結具６１０を利用せずに、取付具６２０は作業用ベルト等に直接取り付けてもよい。また、取付具６２０は、作業用ベルトに取り付けることに限定されず、工具５００を保管する保管場所の一部に取り付ける、又は、保管場所の一部を構成する構成部材としてもよい。
【００３０】
このように、本考案の工具５００は、合成樹脂で形成されているため、従来の金属製の工具に比べて、重量が軽くなる。特に、工具５００を他の工具等の対象物に突起部３００又は溝部４００によって取り付けることができることから、従来のように、複数の工具をまとめて取り付けるフォルダが不要となり、更に重量が軽くなるので、作業員の負担が軽減されるのである。また、本考案の工具５００は、合成樹脂で形成されているので、錆びる虞がない。さらに、突起部３００又は溝部４００の凹凸が滑り止めとなって、油分で作業員の手が滑ることを防止できる。また、工具５００は、突起部又は溝部を備えた他の工具や取付具６２０等の任意の対象物に自由に取り付けることができる。
【００３１】
また、本考案の工具５００は、合成樹脂で形成されているため、締緩作業時等に火花が出る虞や微小な金属粉が出る虞が無いので、防爆や防塵が必要な現場でも利用することが出来る。さらに、一般的に防爆工具は特殊な金属を用いて製造されるため高価であるが、本考案の工具５００によれば、合成樹脂によって製造されているので、従来と比較して安価となる。さらに、従来の金属製の工具に比べて重量が軽いので、例えば、本考案の工具５００に小さな浮き（スポンジ等）を取り付けるだけで、工具５００は水に浮くことから、船舶工具としても利用できる。
【００３２】
さらに、突起部３００又は溝部４００が、持手部１００の長手方向に延出しているので、作業員が締緩作業時等に、油分で手が滑ることを更に効果的に防止できる。具体的には、工具５００によってボルトやナット等を締緩する際は、工具５００の持手部１００を手で持って、先端部２００を起点に回転させる。その際、持手部１００の長手方向に対して略直角方向へ力を加えて回転させているので、突起部３００又は溝部４００が、力を加える方向と交差する方向へ延出することで、油分で手が滑ることを更に効果的に防止できるのである。さらに、突起部３００又は溝部４００が直線状に延出しているので、突起部３００又は溝部４００にゴミ等が溜まっても、掻き出しやすくメンテナンスが容易である。
【００３３】
また、溝部４００の先端部４２０は、持手部１００から突出するように構成されているので、持手部１００を握った手に先端部４２０が触れやすく滑り止めとなり、油分で手が滑ることを更に効果的に防止できるのである。
【００３４】
なお、本考案の工具は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003230820.tif 000003
【図２】
0003230820.tif 000004
【図３】
0003230820.tif 000005
【図４】
0003230820.tif 000006
【図５】
0003230820.tif 000007
【図６】
0003230820.tif 000008
【図７】
0003230820.tif 000009